(57)【要約】【課題】本体と、これにラチェット式に係合するフック体３とを有するカーテン吊り具であって、カーテンに対して容易に、安定的に装着でき、かつ僅かな傾きのみでカーテンを吊ることができるカーテン吊り具を提供する。【解決手段】 カーテン吊り具１は、本体２とフック体３とを持つ。本体２は主杆部４と挿入杆部５とを有する。主杆部４は、背面板６、左右一対の側壁７、ラチェット歯列８、ガイド溝９を持つ。背面板６は、装着時にカーテンの前面に沿って密着する。側壁７は、背面板６の左右両縁に沿って縦方向に伸びる。ラチェット歯列８は、側壁７の前縁に沿って縦方向に伸びる。ガイド溝９は、ラチェット歯列８と背面板６の前面との間に形成され、縦方向に伸びる。フック体３は、ガイド溝９に摺動自在に係合する摺動部１０と、ラチェット歯列８に係合するラチェット爪１１と、本体の両側壁７の間から前方へ延出するように伸びるフック１２とを具備する。【選択図】図１
2008136526.tif 000002
【特許請求の範囲】
【請求項１】
カーテンに装着される本体と、この本体に対して上下位置を調整可能にラチェット式に係合するフック体とを具備し、フック体をランナに掛け止めてカーテンをカーテンレールに吊る合成樹脂製のカーテン吊り具において、
前記本体は、装着時にカーテンの前面に沿って縦方向に伸びる主杆部と、カーテンに係止される係止部とを具備し、
前記主杆部は、装着時にカーテンの前面に沿って密着する縦長矩形の背面板と、この背面板の左右両縁に沿って前面側へ立ち上がり縦方向に伸びる左右一対の側壁と、この側壁の前縁に沿って内側へ立ち上がり縦方向に伸びる左右一対のラチェット歯列と、このラチェット歯列と前記背面板の前面との間に形成された縦方向に伸びる左右一対のガイド溝とを具備し、
前記フック体は、前記本体のガイド溝に摺動自在に係合する摺動部と、前記本体のラチェット歯列に対し相対的に下方へのみ移動可能に係合するラチェット爪と、前記本体の両側壁の間から前方へ延出するように伸びるフックとを具備することを特徴とするカーテン吊り具。
【請求項２】
前記本体の係止部は、前記背面板の背面から延出して当該背面に沿って上方へ伸びる挿入杆部であることを特徴とする請求項１に記載のカーテン吊り具。
【請求項３】
前記本体の係止部は、前記背面板の背面から直角方向に延出する縫い付け片であることを特徴とする請求項１に記載のカーテン吊り具。
【請求項４】
前記本体の背面板が前記カーテンの前面側に縫い付けられることを特徴とする請求項１に記載のカーテン吊り具。
【発明の詳細な説明】
【技術分野】
【０００１】
この発明は、カーテンをカーテンレールのランナに掛け止めるために、カーテンに装着して用いられるカーテン吊り具に関する。
【背景技術】
【０００２】
従来、カーテンに装着される本体と、この本体に対して上下位置を調整可能にラチェット式に係合するフック体とを具備し、フック体が持つフックをランナに掛け止めてカーテンをカーテンレールに吊る合成樹脂製のカーテン吊り具が知られている（例えば特許文献１の図９参照）。このカーテン吊り具において、本体は、カーテンのヒダ形成部に挿入される挿入杆部と、カーテンの前面に沿って縦方向に伸びる主杆部を有し、この主杆部にラチェット歯列が形成されている。フック体は、主杆部に対してラチェット式に係合する係合部を有し、フックはこの係合部から前方へ延出している。このため、ランナの吊り環に掛かるフックが、カーテンの前面から離れた位置にあり、フックと吊り環との係合点周りに回転モーメントが生じる。この回転モーメントにより、カーテン吊り具が傾き、カーテンが折れ曲がって外観を損ねるという問題点がある。
この問題点を解消するため、本体の主杆部をなくし、フック体に主杆部に対応する連結杆を設け、本体（下鈎）の方に連結杆のラチェット歯列に係合する係合部（ホルダー）を設け、連結杆の上端にフック（上鈎）を設けたカーテン吊り具が提案されている（特許文献１の図１参照）。これは、本体（下鈎）側の挿入杆(軸杆)とフック体側の連結杆とでカーテンを所定距離わたって挟持することによってカーテンへの固定力を得る構造である。
【特許文献１】特開２００６−６８４９０号公報
【発明の開示】
【発明が解決しようとする課題】
【０００３】
上記従来のカーテン吊り具のうち、後者は、カーテンに装着される本体側に、カーテンの前面に所定距離にわたって沿う主杆部がないため、フック（上鈎）を係合部（ホルダー）に近づけると、カーテンを挟持する部分が少なくなって、カーテンへの固定が不安定になり、またカーテンのヒダ形成部が不体裁になる（特許文献１の段落００１７及び図６参照）という問題点がある。
したがって、この出願に係る発明は、カーテンに装着される本体側にラチェット歯列を有する主杆部を備えたカーテン吊り具であって、カーテンに対して容易に、安定的に装着でき、かつ僅かな傾きのみでカーテンを吊ることができるカーテン吊り具を提供することを課題としている。
【課題を解決するための手段】
【０００４】
上記課題を解決するため、この出願に係る発明のカーテン吊り具１においては、本体２に、装着時にカーテンの前面に沿って縦方向に伸びる主杆部４と、カーテンに係止される挿入杆５とを設ける。主杆部４は、装着時にカーテンの前面に沿って密着する縦長矩形の背面板６と、この背面板６の左右両縁に沿って前面側へ立ち上がり縦方向に伸びる左右一対の側壁７と、この側壁７の前縁に沿って内側へ立ち上がり縦方向に伸びる左右一対のラチェット歯列８と、このラチェット歯列８と背面板６の前面との間に形成された縦方向に伸びる左右一対のガイド溝９とを具備させる。フック体３には、本体２のガイド溝９に摺動自在に係合する摺動部１０と、本体のラチェット歯列８に対し相対的に下方へのみ移動可能に係合するラチェット爪１１と、本体の両側壁７の間から前方へ延出するように伸びるフック１２とを具備させる。
【発明の効果】
【０００５】
この出願に係る発明によれば、フックがカーテンの前面に対して、本体の背面板の厚さ分の僅かな距離を隔てて接近した位置に配置されるため、フックとランナの吊り環との係合点の周りに生じる回転モーメントを小さくでき、実用上支障がない程度にフックの傾きを抑えることができるという効果を有する。本体の主杆部が、従来どおり、カーテンの前面に所定距離沿うように配置されるため、主杆部を介してカーテンとの係合部を大きく設定でき、吊り具を安定的にカーテンに装着することができる。
本体の背面板をカーテンの前面側に直接縫い付けることができるので、ヒダをとらない、いわゆるフラットカーテンへの縫い付けによる装着が容易である。
【発明を実施するための最良の形態】
【０００６】
図面を参照してこの発明の実施の形態を説明する。図１は本発明に係るカーテン吊り具の分解斜視図、図２は本発明に係るカーテン吊り具のカーテンへの装着状態の正面図、図３は本発明に係るカーテン吊り具のカーテンへの装着状態の側面図、図４は本体の平面図、図５はフック体の側面図、図６は図５におけるVI−VI断面図、図７は他の実施形態のカーテン吊り具の側面図、図８は同平面図、図９はさらに他の実施形態の正面図、図１０は同側面図である。
【０００７】
合成樹脂製のカーテン吊り具１は、カーテンＣに装着される本体２と、この本体２に対して上下位置を調整可能にラチェット式に係合するフック体３とを具備する。フック体３は、カーテンレール内を走行するランナの吊り環に掛け止めることができる。
【０００８】
図１ないし図６において、本体２は、装着時にカーテンＣの前面に沿って縦方向に伸びる主杆部４と、カーテンに係止される係止部である挿入杆部５とを具備する。
【０００９】
主杆部４は、装着時にカーテンＣの前面に沿って密着する縦長矩形の背面板６と、この背面板６の左右両縁に沿って前面側へ立ち上がり縦方向に伸びる左右一対の側壁７と、この側壁７の前縁に沿って内側へ立ち上がり縦方向に伸びる左右一対のラチェット歯列８と、このラチェット歯列８と背面板６の前面との間に形成された縦方向に伸びる左右一対のガイド溝９とを具備する。
【００１０】
挿入杆部５は、背面板の背面下部から延出して上方へ屈曲し、背面板６に沿って上方へ伸びる。挿入杆部５は、カーテンＣの上部のヒダ形成部Ｃ１に下方から挿入することができる。挿入杆部５は、カーテンＣへの挿入状態において、主杆部４の背面板６との間でカーテンＣを挟持する。
【００１１】
フック体３は、本体２のガイド溝９に摺動自在に係合する摺動部１０と、本体２のラチェット歯列８に対し相対的に下方へのみ移動可能に係合するラチェット爪１１と、本体２の両側壁７の間から前方へ延出するように伸びるフック１２とを具備する。フック１２は、垂直に伸びる後部の直線部１２ａと、直線部１２ａの上端から前方へ突出するように湾曲して下方へ伸びる湾曲部１２ｂとを有する。直線部１２ａと湾曲部１２ｂとの接続部には鋭角に湾曲する屈折部１２ｃが設けられる。  直線部１２ａの下部に連続して、摺動部１０とラチェット爪１１が設けられる。摺動部１０は、本体２のガイド溝９に係合するように、左右両側へ広がる。ラチェット爪１１は、本体２の左右のラチェット歯列８の間へ係合するように、摺動部１０の前部に設けられる。
【００１２】
このカーテン吊り具１においては、カーテンＣへの装着時に、フック１２の屈折部１２ｃが、カーテンの前面に対して、本体の背面板の厚さ分のみの僅かな距離Ｄを隔てて接近した位置に配置される。このため、フック１２におけるランナの吊り環２１との係合点となる屈折部１２ｃの周りに生じる回転モーメントは比較的小さなものとなる。したがって、実用上支障がない程度にカーテン吊り具１の傾きを抑えることができる。本体２の主杆部４が、カーテンＣの前面に所定距離沿うように配置されるため、挿入杆部５との間でカーテンを比較的強く挟持して、フック体３の位置に関わりなく、吊り具１を安定的にカーテンＣに固定できる。
【００１３】
図７、図８に示す他の実施形態においては、本体２の係止部としての縫い付け片１３が、背面板６の背面から直角方向に延出する。縫い付け片１３は、カーテンのヒダ形成部Ｃ１を縫製するときに、縫い糸１４によってヒダ形成部Ｃ１内に縫い込まれる。その他の構成は先の実施形態と同等である。
【００１４】
図９、図１０に示す他の実施形態においては、本体２の背面板６が縫い糸１５によってカーテンＣの前面側に直接縫い付けられる。その他の構成は先の実施形態と同等である。この場合、カーテンＣは、ヒダ形成部が存在しない、いわゆるフラットカーテンである。この場合、カーテンＣに対する吊り具１の取付は容易で、カーテンの縫製も容易で、安価なカーテンが提供できる。
【図面の簡単な説明】
【００１５】
【図１】本発明に係るカーテン吊り具の分解斜視図である。
【図２】本発明に係るカーテン吊り具のカーテンへの装着状態の正面図である。
【図３】本発明に係るカーテン吊り具のカーテンへの装着状態の側面図である。
【図４】本発明に係るカーテン吊り具の本体の平面図である。
【図５】本発明に係るカーテン吊り具のフック体の側面図である。
【図６】図５におけるVI−VI断面図である。
【図７】他の実施形態のカーテン吊り具の側面図である。
【図８】他の実施形態のカーテン吊り具の平面図である。
【図９】さらに他の実施形態のカーテン吊り具の正面図である。
【図１０】さらに他の実施形態のカーテン吊り具の側面図である。
【符号の説明】
【００１６】
１      カーテン吊り具
２      本体
３      フック体
４      主杆部
５      挿入杆部
６      背面板
７      側壁
８      ラチェット歯列
９      ガイド溝
１０    摺動部
１１    ラチェット爪
１２    フック
１２ａ  直線部
１２ｂ  湾曲部
１２ｃ  屈折部
１３    縫い付け片
１４    縫い糸
１５    縫い糸
Ｃ      カーテン
Ｃ１    ヒダ形成部
【図１】
2008136526.tif 000003
【図２】
2008136526.tif 000004
【図３】
2008136526.tif 000005
【図４】
2008136526.tif 000006
【図５】
2008136526.tif 000007
【図６】
2008136526.tif 000008
【図７】
2008136526.tif 000009
【図８】
2008136526.tif 000010
【図９】
2008136526.tif 000011
【図１０】
2008136526.tif 000012